(57)【要約】      （修正有）【課題】使用者をベットの上から移送させることなく簡単に保清が行える保清装置を提供する。【解決手段】横臥状態の使用者Ｋの首から下の肢体部を包囲する防水性温浴袋体２を備え、微細なミストを加熱状態で温浴袋体２に充満させる加熱ミスト供給手段８を具備する。温浴袋体の内に充満したミストによって使用者の肢体部に付いた汚れを落として清潔に保つことができる。また、少量の水にて使用者の体を暖めることができ、入浴した時と同様に使用者の血液の循環が良くなり新陳代謝を促進させ、身体機能の活性化を図れると共に湯上がりの爽快感を得ることができる。【選択図】図１
2011224231.tif 000002
【特許請求の範囲】
【請求項１】
横臥状態の使用者（Ｋ）の首から下の肢体部（Ｔ）を包囲する防水性温浴袋体（２）を備え、微細なミスト（Ｍ）を加熱状態で上記温浴袋体（２）に充満させる加熱ミスト供給手段（８）を具備することを特徴とする保清装置。
【請求項２】
横臥状態の使用者（Ｋ）の首から下の肢体部（Ｔ）を包囲する防水性温浴袋体（２）を備え、微細なミスト（Ｍ）を生成するミスト発生器（３）と、上記ミスト（Ｍ）を加熱しつつ上記温浴袋体（２）内に送り込む加熱送風機（４）と、該加熱送風機（４）と上記温浴袋体（２）とを連通連結する可撓性ホース（１３）と、を有することを特徴とする保清装置。
【請求項３】
上記温浴袋体（２）は、長手方向略全長にわたって開閉自在のファスナー部（７）を有する請求項１又は２記載の保清装置。
【請求項４】
上記ミスト発生器（３）と上記加熱送風機（４）は、一般家庭用電源を動力源として使用可能とすると共に、携帯用ケーシング（１２）の内部に収納した持ち運びユニット（１０）として構成した請求項２又は３記載の保清装置。
【請求項５】
上記温浴袋体（２）は、上記可撓性ホース（１３）に交換自在に取付けられ、同一の使用者（Ｋ）のみに使用して使い捨てる衛生用品とした請求項１，２，３又は４記載の保清装置。
【請求項６】
上記温浴袋体（２）は、使用者（Ｋ）が普段使用しているベット（Ｂ）の上で用いられる請求項１，２，３，４又は５記載の保清装置。
【請求項７】
ベット（Ｂ）上の使用者（Ｋ）が介護者（Ｃ）によって左向き又は右向きに横臥している状態に於て、上記温浴袋体（２）が、その内面（２ａ）と使用者（Ｋ）との間にミスト流入空間（９）を形成するような大きさに設定されている請求項１，２，３，４，５又は６記載の保清装置。
【発明の詳細な説明】
【技術分野】
【０００１】
本発明は、保清装置に関する。
【背景技術】
【０００２】
従来、身体が不自由な人をベットから浴槽に移して、皮膚の垢をお湯で洗い流して保清する入浴装置が使用されていた（特許文献１参照）。
【先行技術文献】
【特許文献】
【０００３】
【特許文献１】特開２００３−２６５５７４号公報
【発明の概要】
【発明が解決しようとする課題】
【０００４】
しかし、従来の入浴装置では、寝たきりの老人や介護が必要な人等をベットから浴槽に移送するのに通常２人以上の介護者が必要となり、多くの労力を必要としていた。また、浴槽にお湯を張るには大量の温水が必要となると共に水しぶきが周囲に飛散するという問題があった。しかも、浴槽内のお湯の温度を保持するのが難しく、在宅での訪問介護や訪問診療、病院の病室での保清入浴が制限されていた。
【０００５】
そこで、本発明は、使用者をベットの上から移送させることなく簡単に保清が行える保清装置を提供することを目的とする。
【課題を解決するための手段】
【０００６】
本発明に係る保清装置は、横臥状態の使用者の首から下の肢体部を包囲する防水性温浴袋体を備え、微細なミストを加熱状態で上記温浴袋体に充満させる加熱ミスト供給手段を具備するものである。
【０００７】
また、横臥状態の使用者の首から下の肢体部を包囲する防水性温浴袋体を備え、微細なミストを生成するミスト発生器と、上記ミストを加熱しつつ上記温浴袋体内に送り込む加熱送風機と、該加熱送風機と上記温浴袋体とを連通連結する可撓性ホースと、を有するものである。
また、上記温浴袋体は、長手方向略全長にわたって開閉自在のファスナー部を有するものである。
【０００８】
また、上記ミスト発生器と上記加熱送風機は、一般家庭用電源を動力源として使用可能とすると共に、携帯用ケーシングの内部に収納した持ち運びユニットとして構成したものである。
また、上記温浴袋体は、上記可撓性ホースに交換自在に取付けられ、同一の使用者のみに使用して使い捨てる衛生用品としたものである。
【０００９】
また、上記温浴袋体は、使用者が普段使用しているベットの上で用いられるものである。
また、ベット上の使用者が介護者によって左向き又は右向きに横臥している状態に於て、上記温浴袋体が、その内面と使用者との間にミスト流入空間を形成するような大きさに設定されているものである。
【発明の効果】
【００１０】
本発明の保清装置によれば、温浴袋体の内に充満したミストによって使用者の肢体部に付いた汚れを落として清潔に保つことができる。また、少量の水にて使用者の体を暖めることができ、入浴した時と同様に使用者の血液の循環が良くなり新陳代謝を促進させ、身体機能の活性化を図れると共に湯上がりの爽快感を得ることができる。また、温浴袋体は、外部にミストを飛散させないように使用者の肢体部を包囲するため、ベット上で使用しても周囲を濡らすことはなく、従来２人以上の介護者で行っていた移送作業が必要なくなり、１人の介護者で在宅での訪問介護を行なうことができる。これにより介護事業所の労力を大幅に軽減することができる。
【図面の簡単な説明】
【００１１】
【図１】本発明に係る保清装置の実施の一形態を示した斜視図である。
【図２】保清装置の一例を示した要部断面平面図である。
【図３】保清装置の使用状態を示した要部断面図である。
【図４】保清装置の使用状態を示した要部断面図である。
【図５】保清装置の他の実施形態を示した斜視図である。
【図６】保清装置の他の例を示した要部断面図である。
【図７】保清装置の他の例を示した要部断面図である。
【発明を実施するための形態】
【００１２】
以下、実施の形態を示す図面に基づき本発明を詳説する。
図１は、本発明の保清装置の実施の一形態を示したものであり、横臥状態の使用者Ｋの首から下の肢体部Ｔを包囲する防水性温浴袋体２を備え、微細なミストＭを加熱状態で温浴袋体２に充満させる加熱ミスト供給手段８を具備している。加熱ミスト供給手段８は、微細なミストＭを生成するミスト発生器３と、ミストＭを加熱しつつ温浴袋体２内に送り込む加熱送風機４と、加熱送風機４と温浴袋体２とを連通連結する可撓性ホース１３と、を有している。
【００１３】
温浴袋体２は、使用者Ｋの頭部Ｈを外部に露出させた状態で肢体部Ｔを被覆する寝袋状に形成されており、長手方向の略全長にわたって開閉自在のファスナー部７を有し、使用者ＫがベットＢの上で横臥したまま装着させられるように構成されている。温浴袋体２は、防水性の合成樹脂、ゴム等の材料から成り、使用者Ｋの姿勢に合わせて変形自在である。また、温浴袋体２は、内部のミストＭを外部に漏出しないように構成され、使用者Ｋが普段使用しているベットＢを濡らすことなく使用できるものである。ファスナー部７は、ウェットスーツ等に使用されるものと同等の耐水性を有するものが望ましい。なお、温浴袋体２には、排水孔５が設けられており、ミストＭの水が滞留しないように、外部の排水受け１７に排出するように構成している。
温浴袋体２は、可撓性ホース１３に交換自在として取付けられ、一人の使用者Ｋが使用した後、同一の使用者Ｋのみに使用して使い捨てる衛生用品とするのが望ましい。なお、温浴袋体２は、同一の使用者Ｋへの使用であれば、１回のみの使用で使い捨てられるものに限定されず、使用後に洗浄して複数回にわたって使用するもよい。
【００１４】
加熱ミスト供給手段８に於て、ミスト発生器３と加熱送風機４は、一般家庭用電源を動力源として使用可能であり、かつ、携帯用ケーシング１２の内部に収納され、持ち運びユニット１０として構成されている。言い換えると、持ち運びユニット１０は、携帯用ケーシング１２内に、タンクに貯えた水から微細なミストＭを生成するミスト発生器３と、電熱器とファンを有する加熱送風機４と、熱交換器６と、を内蔵し、温浴袋体２に送り込むミストＭの質量と温浴袋体２内の温度を適宜調整するための操作部１８と、操作部１８の操作によりミスト発生器３と加熱送風機４の出力調整を行なう制御部を備えている。携帯用ケーシング１２は、温浴袋体２を取外した可撓性ホース１３を収納可能であり、持ち手１１を把持して一人で簡単に携帯して持ち運べるように構成されている。
加熱ミスト供給手段８は、操作部１８により温浴袋体２内を３８℃〜４２℃に加熱（保温）できるものが好ましい。また、加熱ミスト供給手段８は、タイマーにより作動時間を設定することを可能とし、１０分〜２０分間連続してミストＭを吐出した後、自動的に停止するように構成されている。
【００１５】
図２〜図４に示すように、温浴袋体２は、輪郭を形成する外皮部２０と、外皮部２０の内面側に流路２３を区画形成する内皮部２１と、を有する２層構造としている。内皮部２１は、複数の開口部２１ａ…を有するメッシュ状乃至パンチング状に形成されている。温浴袋体２は、ベットＢ上に使用者Ｋが上向きに横臥している状態に於て、その内面２ａと使用者Ｋとの間にミスト流入空間９を形成している。ミスト流入空間９は、横断面三日月形状の流路２３にＵ字状に取り囲まれている。ミスト流入空間９と流路２３は、内皮部２１の開口部２１ａ…を介して連通している。
加熱ミスト供給手段８は、温浴袋体２内の空気を換気しつつ熱循環して温度を保持している。加熱ミスト供給手段８は、微細なミストＭを温風に乗せて温浴袋体２に流し込む給気機能と、温浴袋体２内の空気を還流する排気機能を有している。可撓性ホース１３は、加熱送風機４の温風によって押し流されてきたミストＭを温浴袋体２内に吐出する吹出口１３Ａと、温浴袋体２内の雰囲気を吸い込む吸込口１３Ｂとを有している。吹出口１３Ａは、温浴袋体２の流路２３に連通連結し、かつ、吸込口１３Ｂは、温浴袋体２のミスト流入空間９に連通連結している。
【００１６】
図３に於て、温浴袋体２は、加熱ミスト供給手段８から送り込まれる温風の空気圧で横断面略楕円形の風船状に膨らんでいる。温浴袋体２は、吹出口１３Ａに連通する流路２３の空気圧が、吸込口１３Ｂに連通するミスト流入空間９の空気圧よりも僅かに高圧となっている。従って、流路２３内からミスト流入空間９に空気が噴き出すと共に、ミストＭがミスト流入空間９の使用者Ｋに向けて噴射するように構成されている。また、ミスト流入空間９を取り囲む流路２３が空気圧にて膨らむことで、温浴袋体２は安定して形状を保持している。
図４に示すように、ベットＢ上の使用者Ｋが介護者Ｃによって左向き又は右向きに横臥している状態に於て、温浴袋体２が、その内面２ａと使用者Ｋとの間にミスト流入空間９を形成するような大きさに設定されている。
【００１７】
上述した本発明の保清装置の使用方法（作用）について説明する。
図１に示すように、温浴袋体２を、使用者Ｋの肢体部Ｔに装着し、可撓性ホース１３を連結する。使用者Ｋが、身体の不自由な者、例えば、寝たきりの老人や介護が必要な要介護者である場合には、使用者の家族、介護者、看護師、医師等が、ベットＢ上に横臥した使用者Ｋに温浴袋体２を装着させる。持ち運びユニット１０から引き出されたコードを一般家庭用電源のコンセントに接続し、加熱ミスト供給手段８を作動させ、温浴袋体２を膨らませる。
【００１８】
図２に示すように、加熱ミスト供給手段８は、微細なミストＭを加熱状態で温浴袋体２に充満させ、使用者Ｋの肢体部ＴをミストＭで包囲して皮膚に付いた垢や汚れを落とすと共に、全身を温めて血行を良くし、発汗作用を促して新陳代謝を促進させる。温浴袋体２は、ミスト流入空間９をＵ字状に取り囲む流路２３から開口部２１ａ…を通してミストＭを噴き出すことによって、使用者Ｋの肢体部Ｔの周囲の温度を一定に調整し、全身をムラなく温める。温浴袋体２に包囲された使用者Ｋには、水圧がかからないため、心肺や肌への負担が少ない。また、従来のシャワー等に比べて水しぶき等の発生の虞れがなく、浴槽にお湯を張るための大量の温水も必要としない。
【００１９】
図３に於て、使用者Ｋが温浴袋体２に包囲されて上向きに横臥している状態を示している。温浴袋体２は、使用者Ｋが肢体部Ｔの背面を除いた部位にミストＭを浴びられるように、ミスト流入空間９を被覆状に形成する。
また、図４に於て、使用者Ｋが温浴袋体２に包囲され、介護者Ｃの介助を受けて左向き（又は右向き）に横臥している状態を示している。温浴袋体２は、使用者Ｋの肢体部Ｔの一側面を除いた部位をミスト流入空間９にて被覆してミストＭを浴びせる。この際、温浴袋体２の流路２３は、遮断されることなく流通し、ミスト流入空間９全体にもれなくミストＭを噴出する。
このように、ミストＭによる温浴を１０分〜２０分連続して行なう間に、使用者Ｋの姿勢を変位することで、ミストＭが当たらない部位を無くし、肢体部Ｔ全体を清潔にすると共にムラなく温める。
【００２０】
次に、本発明の他の実施形態について説明する。
図５〜図７に示すように、他の実施形態の保清装置は、可撓性ホース１３が、複数の吹出口１３Ａ…と複数の吸込口１３Ｂ…を有している。加熱ミスト供給手段８は、温浴袋体２の上下左右の各部位に連通連結している。加熱ミスト供給手段８は、複数の吹出口１３Ａ…からミスト流入空間９に加熱したミストＭを吐出し、複数の吸込口１３Ｂ…からミスト流入空間９内の空気を可撓性ホース１３に還流している。吹出口１３Ａ…が、温浴袋体２の上下左右の各部位に分配されているため、ミスト流入空間９にもれなくミストＭを噴き出して、温浴袋体２内の温度を一定に調整し、使用者Ｋの肢体部Ｔの全体を温める。また、図７に示すように、使用者Ｋが介護者Ｃの介助を受けて左向き（又は右向き）に横臥している状態に於ても、吸込口１３Ｂ（吹出口１３Ａ）が遮断されることなく、空気及びミストＭの流通を妨げないように構成されている。その他の構成は、上述の実施の形態と同様であるため説明を省略する。
【００２１】
以上のように、本発明は、横臥状態の使用者Ｋの首から下の肢体部Ｔを包囲する防水性温浴袋体２を備え、微細なミストＭを加熱状態で温浴袋体２に充満させる加熱ミスト供給手段８を具備するので、温浴袋体２の内に充満したミストＭによって使用者Ｋの肢体部Ｔに付いた汚れを落として清潔に保つことができる。また、少量の水にて使用者Ｋの体を暖めることができ、入浴した時と同様に使用者Ｋの血液の循環が良くなり新陳代謝を促進させ、身体機能の活性化を図れると共に湯上がりの爽快感を得ることができる。また、温浴袋体２は、外部にミストＭを飛散させないように使用者Ｋの肢体部Ｔを包囲するため、ベットＢ上で使用しても周囲を濡らすことはなく、従来２人以上の介護者で行っていた移送作業が必要なくなり、１人の介護者Ｃで在宅での訪問介護を行なうことができる。これにより介護事業所の労力を大幅に軽減することができる。
【００２２】
また、横臥状態の使用者Ｋの首から下の肢体部Ｔを包囲する防水性温浴袋体２を備え、微細なミストＭを生成するミスト発生器３と、ミストＭを加熱しつつ温浴袋体２内に送り込む加熱送風機４と、加熱送風機４と温浴袋体２とを連通連結する可撓性ホース１３と、を有するので、温浴袋体２の内に充満したミストＭによって使用者Ｋの肢体部Ｔに付いた汚れを落として清潔に保つことができる。また、少量の水にて使用者Ｋの体を暖めることができ、入浴した時と同様に使用者Ｋの血液の循環が良くなり新陳代謝を促進させ、身体機能の活性化を図れると共に湯上がりの爽快感を得ることができる。また、温浴袋体２は、外部にミストＭを飛散させないように使用者Ｋの肢体部Ｔを包囲するため、ベットＢ上で使用しても周囲を濡らすことはなく、従来２人以上の介護者で行っていた移送作業が必要なくなり、１人の介護者Ｃで在宅での訪問介護を行なうことができる。これにより介護事業所の労力を大幅に軽減することができる。
【００２３】
また、温浴袋体２は、長手方向略全長にわたって開閉自在のファスナー部７を有するので、ベットＢの上に横臥したままの使用者Ｋに温浴袋体２を容易に装着できる。
【００２４】
また、ミスト発生器３と加熱送風機４は、一般家庭用電源を動力源として使用可能とすると共に、携帯用ケーシング１２の内部に収納した持ち運びユニット１０として構成したので、一人で簡単に携帯して持ち運ぶことが可能であり、在宅での訪問介護や病院の個室等に持ち込んで使用できる。
【００２５】
また、温浴袋体２は、可撓性ホース１３に交換自在に取付けられ、同一の使用者Ｋのみに使用して使い捨てる衛生用品としたので、温浴袋体２を常時清潔に保持できる。
【００２６】
また、温浴袋体２は、使用者Ｋが普段使用しているベットＢの上で用いられるので、ベットから使用者Ｋを移送させることなく１人の介護者Ｃで介助できる。
【００２７】
また、ベットＢ上の使用者Ｋが介護者Ｃによって左向き又は右向きに横臥している状態に於て、温浴袋体２が、その内面２ａと使用者Ｋとの間にミスト流入空間９を形成するような大きさに設定されているので、使用者Ｋの姿勢を変位することで、ミストＭが当たらない部位を無くし、使用者Ｋの肢体部Ｔ全体を清潔に保つことができると共に、ムラなく温めることができる。
【符号の説明】
【００２８】
２  温浴袋体
２ａ  内面
３  ミスト発生器
４  加熱送風機
７  ファスナー部
８  加熱ミスト供給手段
９  ミスト流入空間
１０  持ち運びユニット
１２  携帯用ケーシング
１３  可撓性ホース
Ｋ  使用者
Ｔ  肢体部
Ｍ  ミスト
Ｂ  ベット
Ｃ  介護者
【図１】
2011224231.tif 000003
【図２】
2011224231.tif 000004
【図３】
2011224231.tif 000005
【図４】
2011224231.tif 000006
【図５】
2011224231.tif 000007
【図６】
2011224231.tif 000008
【図７】
2011224231.tif 000009